(57)【特許請求の範囲】
【請求項１】
人体の生体情報を検出するセンサを該人体の手指に密着させた状態で固定する伸縮性を
備えたセンサ装着用サポーターにおいて、
前記手指に巻き付くように装着される指装着体の内側に、前記手指の側面に前記センサ
が密着するように前記センサを固定可能な側面バンド部を設けて構成されたこと、
を特徴とするセンサ装着用サポーター。
【請求項２】
前記指装着体の内側に、前記手指の腹側の面に前記センサが密着するように前記センサ
を固定可能な腹面バンド部を設けたこと、
を特徴とする請求項１記載のセンサ装着用サポーター。
【請求項３】
前記腹面バンド部と前記側面バンド部とは、同一部材で構成されたこと、
を特徴とする請求項２記載のセンサ装着用サポーター。
【請求項４】
前記腹面バンド部と前記側面バンド部とは、前記指装着体が前記手指に装着された状態
で、前記指装着体の内周において互いに略９０°異なる位置に設けられたこと、
を特徴とする請求項２または３記載のセンサ装着用サポーター。
【請求項５】
前記指装着体の前記手指の付け根側には、前記手指の手の甲側の付け根、または、手の
平側の付け根の少なくともいずれか一方を越えて張り出す舌部が形成されたこと、
を特徴とする請求項１から４のいずれかに記載のセンサ装着用サポーター。
【請求項６】
前記指装着体の前記手指の付け根側には、前記手指の手の甲側の付け根を越えて張り出
す第１舌部と、手の平側の付け根を越えて張り出す第２舌部とが形成されたこと、
を特徴とする請求項１から４のいずれかに記載のセンサ装着用サポーター。
【請求項７】
前記側面バンド部は、前記指装着体が人差し指に装着された状態で親指側の側面に相当
する位置、前記指装着体が親指に装着された状態で親指の少なくともいずれか一方の側面
に相当する位置、及び、前記指装着体が小指に装着された状態で小指の外側の側面に相当
する位置、のいずれかの位置に設けられたこと、
を特徴とする請求項１から６のいずれかに記載のセンサ装着用サポーター。
【請求項８】
前記指装着体には、前記指装着体が前記手指に装着された状態で対向する２つの前記側
面バンド部が設けられたこと、
を特徴とする請求項１から６のいずれかに記載のセンサ装着用サポーター。
【請求項９】
利用者の手指から生体情報を検出するセンサと、前記センサを利用者の手指に密着させ
た状態で固定する伸縮性を備えたセンサ装着用サポーターと、前記センサからの検出情報
に従い生体情報を表示する装置本体部と、前記装置本体部を利用者の腕に装着するための
リストバンドと、を備える腕装着型生体情報測定装置において、
前記センサ装着用サポーターの前記手指に巻き付くように装着される指装着体の内側に
は、前記手指の腹側の面に前記センサが密着するように前記センサを固定可能な腹面バン
ド部と、前記手指の側面に前記センサが密着するように前記センサを固定可能な側面バン
ド部と、が設けられたこと、
を特徴とする腕装着型生体情報測定装置。
【発明の詳細な説明】
【技術分野】
【０００１】
本発明は、生体情報を検出するセンサを利用者の手指に密着させるセンサ装着用サポー
ター及び腕装着型生体情報測定装置に関する。
【背景技術】
【０００２】
従来、利用者の手指の腹側の面（指の手の平側）にセンサを装着して血量変化等を検出
し、腕部に装着された装置本体部に脈拍等の生体情報を表示する腕装着型生体情報測定装
置が知られている（例えば、特許文献１参照）。
上述したセンサは、センサが固定されたサポーターを手指に巻き付けるようにして装着
される。正確に血量変化を検出するためには、センサは、手指の検出部位に適正な圧力で
密着して押圧される必要がある。
【特許文献１】特開２００６−５５５１７号公報
【発明の開示】
【発明が解決しようとする課題】
【０００３】
ところで、上記従来の構成においては、例えば、利用者が運動機器のグリップを握る等
の握り動作を伴った状態で脈拍を測定する場合、センサが固定されたサポーターが変形し
、センサが手指の検出部位に密着できなくなり、生体情報を正確に測定することが難しく
なるおそれがあった。
そこで本発明は、生体情報を検出するセンサを確実に手指に密着させて、生体情報を正
確に測定することを目的とする。
【課題を解決するための手段】
【０００４】
上記課題を解決するため、本発明は、人体の生体情報を検出するセンサを該人体の手指
に密着させた状態で固定する伸縮性を備えたセンサ装着用サポーターにおいて、前記手指
に巻き付くように装着される指装着体の内側に、前記手指の側面に前記センサが密着する
ように前記センサを固定可能な側面バンド部を設けて構成されたことを特徴とするセンサ
装着用サポーターを提供する。
この構成によれば、生体情報を検出するセンサが、指装着体の内側に設けられた側面バ
ンド部により固定され、センサ装着用サポーターを手指に装着した状態では、センサが手
指の側面の皮膚に密着する。手指の側面は、利用者が手指を曲げた場合にも手指の表面の
変形量が比較的小さく、センサが側面に密着した状態が維持される。このため、利用者が
手指を伸ばした状態、曲げた状態、或いは、手指を運動させている状態においても確実に
センサを手指に密着させることができ、手指の姿勢によらずセンサを確実に手指に密着さ
せて生体情報を正確に測定できる。
【０００５】
上記構成において、前記指装着体の内側に、前記手指の腹側の面に前記センサが密着す
るように前記センサを固定可能な腹面バンド部を設けた構成としても良い。
この構成によれば、センサを手指の腹側の面に密着するように固定可能な腹面バンド部
が設けられているため、利用者は、センサを手指の腹側の面又は側面のどちらにも密着さ
せることができる。これによれば、利用者は、必要に応じて生体情報の測定に適した位置
にセンサを密着させることができ、センサを確実に手指に密着させて生体情報を正確に測
定できる。
【０００６】
上記構成において、前記腹面バンド部と前記側面バンド部とは、同一部材で構成されて
も良い。
この構成によれば、腹面バンド部と側面バンド部とが一体の同一部材で構成されており
、組立てが容易であり、部品点数も削減されるためコストダウンを図ることができる。
【０００７】
上記構成において、前記腹面バンド部と前記側面バンド部とは、前記指装着体が前記手
指に装着された状態で、前記指装着体の内周において互いに略９０°異なる位置に設けら
れた構成としても良い。
この構成によれば、センサは、互いに略９０°異なる位置に設けられた腹面バンド部又
は側面バンド部に固定されるため、手指の腹側の面又は側面に正対した位置にセンサを密
着させることでき、センサを確実に手指に密着させて生体情報を正確に測定できる。
【０００８】
上記構成において、前記指装着体の前記手指の付け根側には、前記手指の手の甲側の付
け根、または、手の平側の付け根の少なくともいずれか一方を越えて張り出す舌部が形成
された構成としても良い。
この構成によれば、舌部は、指装着体に回転する方向の力がかかった場合に手指の股部
に引っ掛かかるので、指装着体の回り止めとして働く。従って、指装着体は、舌部により
位置決めされるため、腹面バンド部又は側面バンド部に固定されたセンサを手指の所定の
位置に密着させることができる。また、指装着体の回転が防止されるため、センサの手指
への密着状態を維持できるので、センサを確実に手指に密着させて生体情報を正確に測定
できる。
また、指装着体は、舌部により位置決めされるため、指装着体を所定の位置に装着すれ
ば、センサは手指の所定の面に密着する。このため、利用者はセンサを容易に密着させる
ことができるので、センサを確実に手指に密着させて生体情報を正確に測定できる。
【０００９】
上記構成において、前記指装着体の前記手指の付け根側には、前記手指の手の甲側の付
け根を越えて張り出す第１舌部と、手の平側の付け根を越えて張り出す第２舌部とが形成
された構成としても良い。
この構成によれば、第１舌部及び第２舌部は、指装着体に回転する方向の力がかかった
場合に手指の股部に引っ掛かかるので、指装着体の回り止めとして働く。従って、指装着
体は、第１舌部及び第２舌部により２箇所で位置決めされるため、腹面バンド部又は側面
バンド部に固定されたセンサを手指の所定の位置に対しより確実に密着させることができ
る。また、指装着体の回転が防止されるため、センサの手指への密着状態を維持できるの
で、センサを確実に手指に密着させて生体情報を正確に測定できる。
また、指装着体は、第１舌部及び第２舌部により位置決めされるため、指装着体を所定
の位置に装着すれば、センサは手指の所定の面に密着する。このため、利用者はセンサを
容易に密着させることができるので、センサを確実に手指に密着させて生体情報を正確に
測定できる。
【００１０】
上記構成において、前記側面バンド部は、前記指装着体が人差し指に装着された状態で
親指側の側面に相当する位置、前記指装着体が親指に装着された状態で親指の少なくとも
いずれか一方の側面に相当する位置、及び、前記指装着体が小指に装着された状態で小指
の外側の側面に相当する位置のいずれかの位置に設けられた構成としても良い。
この構成によれば、センサは、人差し指の親指側の側面、親指の少なくともいずれか一
方の側面、及び、小指の外側の側面のいずれかの位置に密着する。これらの位置は、いず
れも指装着体の内側の側面に固定されたセンサに対し、隣接する他の手指が干渉しにくい
位置である。これによれば、センサが隣接する手指と干渉してセンサが移動することを防
止できるため、センサを確実に手指に密着させて生体情報を正確に測定できる。
【００１１】
上記構成において、前記指装着体には、前記指装着体が前記手指に装着された状態で対
向する２つの前記側面バンド部が設けられた構成としても良い。
この構成によれば、指装着体には、対向する２つの側面バンド部が設けられているため
、いずれの手指においてもその手指の側面の方向を問わず、利用者の所望の手指の側面に
センサを自由に密着させることができる。また、左手と右手の区別をする必要がないため
、一つのセンサ装着用サポーターにより両手の手指に対応してセンサを密着させることが
できる。
【００１２】
また、本発明は、利用者の手指から生体情報を検出するセンサと、前記センサを利用者
の手指に密着させた状態で固定する伸縮性を備えたセンサ装着用サポーターと、前記セン
サからの検出情報に従い生体情報を表示する装置本体部と、前記装置本体部を利用者の腕
に装着するためのリストバンドとを備える腕装着型生体情報測定装置において、前記セン
サ装着用サポーターの前記手指に巻き付くように装着される指装着体の内側には、前記手
指の腹側の面に前記センサが密着するように前記センサを固定可能な腹面バンド部と、前
記手指の側面に前記センサが密着するように前記センサを固定可能な側面バンド部とが設
けられたことを特徴とする腕装着型生体情報測定装置を提供する。
この構成によれば、センサ装着用サポーターを装着すると、生体情報を検出するセンサ
は、手指の腹側の面又は側面の皮膚に密着する。手指の側面にセンサが密着する場合、手
指の側面は、利用者が手指を曲げた場合にも手指の表面の変形量が比較的小さく、センサ
が側面に密着した状態が維持されるため、センサを確実に手指に密着させることができる
。このため、利用者が手指を伸ばした状態、曲げた状態、或いは、手指を運動させている
状態においても確実にセンサを手指に密着させることができ、手指の姿勢によらずセンサ
を確実に手指に密着させて生体情報を正確に測定できる。
また、手指の腹側の面にセンサを密着させることもでき、利用者は、センサを手指の側
面又は腹側の面のどちらにも密着させることができる。これによれば、利用者は、必要に
応じて生体情報の測定に適した位置にセンサを密着させることができ、センサを確実に手
指に密着させて生体情報を正確に測定できる。
【発明の効果】
【００１３】
本発明によれば、生体情報を検出するセンサを確実に手指に密着させて、生体情報を正
確に測定することができる。
【発明を実施するための最良の形態】
【００１４】
以下、本発明の実施の形態を添付の図面を参照しながら説明する。
［第１の実施の形態］
図１は、本発明の一実施の形態に係る腕装着型生体情報測定装置１を利用者に装着した
状態を示す概要図である。
本実施の形態で示す腕装着型生体情報測定装置１とは、生体情報として脈拍を用い、生
体情報値として脈拍数を検出するものである。腕装着型生体情報測定装置１は、例えば、
利用者が運動をしているときであっても、生体情報を確認することができるものである。
腕装着型生体情報測定装置１は、腕時計構造を有する装置本体部１０と、この装置本体
部１０に接続されるケーブル２０と、このケーブル２０の先端に設けられた脈波センサ３
０（センサ）と、脈波センサ３０を挟み込む態様で利用者の手指Ｔに装着するセンサ装着
用サポーター４０とを備えている。センサ装着用サポーター４０は、図１に示すように、
左手の人差し指に装着されている。
【００１５】
装置本体部１０には、腕時計における１２時方向から腕に巻き付いてその６時方向で固
定されるリストバンド１２が設けられている。このリストバンド１２によって、装置本体
部１０は、腕に着脱自在に装着されている。また、装置本体部１０の６時の側には、コネ
クタ部７０が設けられており、このコネクタ部７０にケーブル２０の一端側に設けられた
コネクタピース８０が着脱自在に取り付けられるようになっている。
【００１６】
図２は、装置本体部１０を単体で示す平面図であって、リストバンド１２やケーブル２
０などを取り外した状態を示している。
装置本体部１０は、樹脂製の時計ケース１１を備えている。時計ケース１１の表面側に
は、現在時刻や日付に加えて、走行時や歩行時のピッチ、及び脈拍数などを表示するＥＬ
バックライト付きの液晶表示装置１３が設けられている。液晶表示装置１３には、表示面
の左上側に位置する第１のセグメント表示領域１３１、右上側に位置する第２のセグメン
ト表示領域１３２、右下側に位置する第３のセグメント表示領域１３３、及び左下側に位
置するドット表示領域１３４が構成されており、ドット表示領域１３４では、各種の情報
をグラフィック表示可能である。
時計ケース１１は、走行時や歩行時のピッチを求めるための体動センサ（図示略）を内
蔵している。この体動センサとしては、加速度センサなどを用いることができる。
【００１７】
また、時計ケース１１の内部には、各種の制御やデータ処理を行う制御部５が設けられ
ている。この制御部５は、上述した体動センサによる検出結果及び脈波センサ３０による
検出結果に基づいて、測定対象者である利用者の脈拍数を解析し、液晶表示装置１３に表
示する。この場合において、制御部５には、計時回路も構成されているため、時刻なども
液晶表示装置１３に表示可能となっている。
【００１８】
時計ケース１１の外周部には、入力装置を構成し、時刻合わせや表示モードの切り換え
などの外部操作を行うためのボタンスイッチ１１１〜１１５が設けられている。また、時
計ケース１１の表面には、同じく、入力装置を構成する大きめのボタンスイッチ１１６、
１１７が構成されている。
また、腕装着型生体情報測定装置１の電源は、時計ケース１１に内蔵されているボタン
形の小型の電池５９であり、ケーブル２０は、電池５９から脈波センサ３０に電力を供給
するとともに、脈波センサ３０の検出結果を時計ケース１１の制御部５に入力している。
【００１９】
図３は、脈波センサ３０の断面図である。
脈波センサ３０のケース体の内部には回路基板３５が配置されており、回路基板３５に
は、ＬＥＤ３１、フォトトランジスタ３２、その他の電子部品が実装されている。脈波セ
ンサ３０は、センサ枠３６の上面部分にガラス板からなる透光板３４によって形成された
光透過窓を備えている。そして、ＬＥＤ３１及びフォトトランジスタ３２は、それぞれ発
光面及び受光面を透光板３４の方に向けている。このため、透光板３４の外側表面４４１
に手指Ｔの表面を密着させた状態でＬＥＤ３１が手指Ｔの表面側に向けて光を発すると、
フォトトランジスタ３２は、ＬＥＤ３１が発した光のうち利用者の手指Ｔから反射してく
る光を受光する。
【００２０】
本実施の形態では、ＬＥＤ３１として、ＩｎＧａＮ（インジウム−ガリウム−窒素）系
の青色ＬＥＤを用いてあり、その発光スペクトルは、４５０ｎｍに発光ピークを有してい
る。さらにＬＥＤ３１の発光波長領域は、３５０ｎｍから６００ｎｍまでの範囲にある。
かかる発光特性を有するＬＥＤ３１に対応させて、本実施の形態では、フォトトランジス
タ３２として、ＧａＡｓＰ（ガリウム−砒素−リン）系のフォトトランジスタを用いてい
る。フォトトランジスタ３２自身の受光波長領域は、主要感度領域が３００ｎｍから６０
０ｎｍまでの範囲にあって、３００ｎｍ以下にも感度領域がある。
【００２１】
このように構成した脈波センサ３０を、センサ装着用サポーター４０によって手指Ｔに
密着させ、この状態で、ＬＥＤ３１から手指Ｔに向けて光を照射すると、この光が手指Ｔ
の血管に届いて血液中のヘモグロビンによって光の一部は吸収され、一部は反射する。手
指Ｔの血管から反射してきた光は、フォトトランジスタ３２によって受光され、その受光
量変化が血量変化（血液の脈波）に対応する。すなわち、血量が多いときには、反射光が
弱くなる一方、血量が少なくなると、反射光が強くなるので、反射光強度の変化を検出す
れば、脈拍数を含む各種生体情報などを測定できる。
【００２２】
脈拍を正確に測定するためには、センサ装着用サポーター４０によって脈波センサ３０
を手指Ｔに確実に密着させて、外部の光を脈波センサ３０に侵入させないことが必要であ
る。センサ装着用サポーター４０においては、２箇所に脈波センサ３０を密着させること
ができ、必要に応じて利用者が脈拍の測定に適した配置場所を選択できる。
脈拍を測定するために適した脈波センサ３０の配置場所は、脈波センサ３０の検出を妨
げない無毛部、もしくは有毛部のうち多毛部でない場所である。センサ装着用サポーター
４０は、手指Ｔの腹側の面Ｕ（手の平側）と手指Ｔの側面Ｓに脈波センサ３０を密着させ
ることができる。
【００２３】
図４は、腹側の面Ｕに脈波センサ３０を装着する場合のセンサ装着用サポーター４０の
斜視図である。
センサ装着用サポーター４０は、筒状に構成された指装着体４１を備え、その内側には
、脈波センサ３０を固定する固定バンド５０が取り付けられている。また、図１及び図４
に示すように、指装着体４１の手指Ｔの付け根側には、手の甲側の付け根を越えて張り出
す第１舌部４６と、手の平側の付け根を越えて張り出す第２舌部４７とが形成されている
。
腹側の面Ｕに脈波センサ３０を装着する場合には、脈波センサ３０は、脈波センサ３０
のケーブル２０が、第２舌部４７の側で第２舌部４７の延長線上に位置する固定バンド５
０の腹面バンド部５４により挟まれるようにして指装着体４１に固定されている。そして
、センサ装着用サポーター４０は、手指Ｔに巻き付くように嵌め込まれ、センサ装着用サ
ポーター４０が手指Ｔに装着されると、脈波センサ３０は腹側の面Ｕに密着する。
【００２４】
図５は、側面Ｓに脈波センサ３０を装着する場合のセンサ装着用サポーター４０の斜視
図である。
手指Ｔの側面Ｓに密着するように脈波センサ３０を固定可能な側面バンド部５５は、指
装着体４１が手指Ｔに装着された状態において腹面バンド部５４と略９０°異なる位置に
設けられている。側面Ｓに脈波センサ３０を装着する場合には、脈波センサ３０は、脈波
センサ３０のケーブル２０が、側面バンド部５５により挟まれるようにして指装着体４１
に固定されている。そして、センサ装着用サポーター４０は、手指Ｔに巻き付くように嵌
め込まれ、センサ装着用サポーター４０が手指Ｔに装着されると、脈波センサ３０は側面
Ｓに密着する。
また、図１に示すように、第１舌部４６及び第２舌部４７は、手指Ｔの付け根側に張り
出しているため、センサ装着用サポーター４０に対し手指Ｔを軸にして回転する方向の力
がかかった場合に、第１舌部４６又は第２舌部４７が手指Ｔの股部Ｔ１に引っ掛かり、回
転が防止される。これにより、脈波センサ３０は所定の位置に安定して密着するため、脈
拍を正確に測定できる。
【００２５】
さらに、手指Ｔは、左手の人差し指であり、側面バンド部５５及び脈波センサ３０は、
左手の親指側の側面に相当する位置に配設されている。これにより、長さが短い親指は、
人差し指の側面Ｓに密着した脈波センサ３０に対し、センサ装着用サポーター４０の外側
から干渉しにくいため、他の手指と脈波センサ３０とが干渉して脈拍の測定が妨げられる
ことを防止できる。ここで、手指Ｔは、左手の親指又は小指であっても良い。左手の親指
にセンサ装着用サポーター４０を装着する場合、側面バンド部５５は、側面バンド部５５
と対向する位置にもう一つ設けても良く、この場合、親指の両側面のうちのいずれかに脈
波センサ３０が密着する。また、左手の小指にセンサ装着用サポーター４０を装着する場
合、側面バンド部５５は設けず、図５に示した側面バンド部５５と対向する位置に別の側
面バンドを設けるようにし、この場合、小指の外側の側面に脈波センサ３０が密着する。
このように、親指及び小指のいずれかにセンサ装着用サポーター４０を装着する場合にお
いても、隣接する他の手指と脈波センサ３０とが干渉しにくい位置に脈波センサ３０を密
着させることにより、他の手指と脈波センサ３０とが干渉して脈拍の測定が妨げられるこ
とを防止できる。
【００２６】
図６は、センサ装着用サポーター４０の展開図である。
センサ装着用サポーター４０は、伸縮性を有す布状のサポーター材料４１ａを縫い合わ
せて円筒形状の指装着体４１を形成し、指装着体４１に固定バンド５０を備えて構成され
る。図６で見えている面は、手指Ｔと接触するセンサ装着用サポーター４０の内側面４１
ｂである。サポーター材料４１ａは略台形形状に形成され、直線状の上辺４３、曲線に形
成された下辺４２、及び、上辺４３と下辺４２とを結ぶ左右の端辺４４を有している。ま
た、下辺４２から上辺４３へ延びる左右それぞれの端辺４４は、上辺４３に向けて先細る
ように延び、略台形形状の中心線Ｃを軸線として左右対称に構成されている。そして、セ
ンサ装着用サポーター４０は、端辺４４どうしを縫い合わせて筒状に形成される。また、
この端辺４４の縫合部（図示略）の内側には、目止めテープ（図示略）が貼られており、
センサ装着用サポーター４０の内側面４１ｂに縫い目が露出しない。さらに、筒状に形成
された指装着体４１は、手指Ｔの形状に合わせた先細りのテーパーを有し、手指Ｔとの密
着性が高い。
また、サポーター材料４１ａは、図６中に矢印Ａで示す方向に特に高伸縮な弾性を有す
る材料であり、縫い合わされて筒状の指装着体４１が形成された状態では、手指Ｔの太さ
の方向に大きく伸びることができる。このため、様々な太さの手指Ｔに対応してセンサ装
着用サポーター４０を装着できる。また、収縮方向の弾性力により脈波センサ３０を手指
Ｔに押し付けるようにして確実に密着させることができる。
【００２７】
下辺４２は、サインカーブ様の曲線を描くように形成されているため、サポーター材料
４１ａの長さは、その幅方向の位置によって異なっている。すなわち、両端辺４４及び幅
方向中央（図中符号Ｃで示す位置）において、サポーター材料４１ａの長さは最も短く、
その中間位置においてサポーター材料４１ａの長さは最も長い。従って、下辺４２には、
湾曲して舌状に突出する２カ所の延長部が形成され、これら２カ所の延長部の間には、湾
曲した凹欠部４５が形成されている。上記の２カ所の延長部は、端辺４４を縫い合わせて
筒状のセンサ装着用サポーター４０を作成した場合に、それぞれ、センサ装着用サポータ
ー４０の基端部から突出する第１舌部４６、及び、第２舌部４７となる。これら第１舌部
４６と第２舌部４７とは互いに対向する位置にあり、第１舌部４６と第２舌部４７との間
には、センサ装着用サポーター４０の長さが最も短くなる凹欠部４５が形成される。凹欠
部４５は、筒状のセンサ装着用サポーター４０を構成した状態で、第１舌部４６と第２舌
部４７との間の２カ所に形成される。
【００２８】
サポーター材料４１ａの内側面４１ｂには、下辺４２の上方において上辺４３と略平行
に帯状の固定バンド５０が取り付けられている。固定バンド５０は、１本の伸縮可能なゴ
ム製のバンドである。
固定バンド５０は、その両端及び中央が内側面４１ｂに固定されて固定部５１を形成し
ている。固定バンド５０は、両端の固定部５１と中央の固定部５１との間の２箇所の部分
が自在に伸縮可能な部分となっており、これら２つの部分が、腹面バンド部５４及び側面
バンド部５５を構成している。つまり、同一の固定バンド５０を複数の固定部５１で留め
ることにより、腹面バンド部５４と側面バンド部５５とが構成されている。そして、腹面
バンド部５４及び側面バンド部５５と内側面４１ｂとの間にケーブル２０を挟み込むよう
にして脈波センサ３０が固定される。
また、腹面バンド部５４及び側面バンド部５５の幅は、脈波センサ３０の大きさよりも
小さく形成されている。このため、脈波センサ３０を固定する際は、腹面バンド部５４及
び側面バンド部５５を引っ張るようにして変形させて、その内側に脈波センサ３０を通す
ようにする。これによれば、腹面バンド部５４及び側面バンド部５５は、元の大きさに縮
んだ状態でケーブル２０を挟み込むため、脈波センサ３０が腹面バンド部５４及び側面バ
ンド部５５から外れることが防止される。
【００２９】
腹面バンド部５４の中心は、第２舌部４７の頂点から中心線Ｃと平行に延ばした直線の
延長線上に位置し、側面バンド部５５の中心は、凹部４５の頂点から延びる中心線Ｃ上に
位置している。さらに、腹面バンド部５４の中心と側面バンド部５５の中心とは、指装着
体４１を手指Ｔに装着した状態においては、指装着体４１の内周方向に略９０°異なる位
置関係にある。
すなわち、第２舌部４７は、手指Ｔの手の平側に位置するように取り付けられ、その延
長線上にある腹面バンド部５４により、脈波センサ３０は手指Ｔの腹側の面Ｕに密着して
取り付けられる。また、腹面バンド部５４と略９０°異なる位置に配設された側面バンド
部５５により、脈波センサ３０は手指Ｔの側面Ｓに密着して取り付けられる。
【００３０】
図７は、脈波センサ３０を腹側の面Ｕに密着させた場合の一部破断側面図である。図８
は、脈波センサ３０を側面Ｓに密着させた場合の側面図である。
図７に示すように、脈波センサ３０は、腹面バンド部５４により腹側の面Ｕに位置を固
定され、指装着体４１により押さえ付けられるようにして腹側の面Ｕに密着する。
図８に示すように、脈波センサ３０は、側面バンド部５５により側面Ｓに位置を固定さ
れ、指装着体４１により押さえ付けられるようにして側面Ｓに密着する。
脈波センサ３０による脈拍の測定は、手指Ｔが伸びた状態にあれば腹側の面Ｕ及び側面
Ｓのいずれにおいても良好に行うことができる。しかしながら、例えば、利用者が手を握
る動作を行いながら脈拍を測定する場合、手指Ｔは曲げられるため、手指Ｔの曲げに伴っ
て腹側の面Ｕ及び側面Ｓは変形する。この場合、腹側の面Ｕの変形量は比較的大きいため
、腹側の面Ｕの変形に伴って脈波センサ３０が浮き上がり、脈波センサ３０を腹側の面Ｕ
に密着させられないおそれがある。一方、側面Ｓの変形量は比較的小さいため、手指Ｔが
曲げられた場合においても脈波センサ３０の側面Ｓへの密着を維持することができ、脈拍
を正確に測定できる。
このように、センサ装着用サポーター４０によれば、利用者は必要に応じて脈拍の測定
に適した脈波センサ３０の配置場所を選択できる。
また、手指Ｔの腹側の面Ｕ及び側面Ｓは、脈波センサ３０の外側表面４４１に密着し、
この状態でＬＥＤ３１が発した光のうち手指Ｔから反射してくる光をフォトトランジスタ
３２が受光することで脈波が検出される。
【００３１】
以上説明したように、本発明を適用した第１の実施の形態によれば、生体情報を検出す
る脈波センサ３０が、指装着体４１の内側に設けられた側面バンド部５５により固定され
、センサ装着用サポーター４０を手指Ｔに装着した状態では、脈波センサ３０が手指Ｔの
側面Ｓの皮膚に密着する。側面Ｓは、利用者が手指Ｔを曲げた場合にも手指Ｔの表面の変
形量が比較的小さく、脈波センサ３０が側面Ｓに密着した状態が維持されるため、脈波セ
ンサ３０を確実に手指Ｔに密着させることができる。このため、利用者が手指Ｔを伸ばし
た状態、曲げた状態、或いは、手指Ｔを運動させている状態においても確実に脈波センサ
３０を手指Ｔに密着させることができ、手指Ｔの姿勢によらず脈波センサ３０を確実に手
指Ｔに密着させて生体情報を正確に測定できる。
また、脈波センサ３０を手指Ｔの腹側の面Ｕに密着するように固定可能な腹面バンド部
５４が設けられているため、利用者は、脈波センサ３０を腹側の面Ｕ又は側面Ｓのどちら
にも密着させることができる。これによれば、利用者は、必要に応じて生体情報の測定に
適した位置に脈波センサ３０を密着させることができ、脈波センサ３０を確実に手指Ｔに
密着させて生体情報を正確に測定できる。
また、腹面バンド部５４と側面バンド部５５とが同一の固定バンド５０によって一体に
構成されており、組立てが容易であり、部品点数も削減されるためコストダウンを図るこ
とができる。
【００３２】
また、脈波センサ３０は、互いに略９０°異なる位置に設けられた腹面バンド部５４及
び側面バンド部５５に固定されるため、腹側の面Ｕ及び側面Ｓに正対した位置に脈波セン
サ３０を密着させることができ、脈波センサ３０を確実に手指Ｔに密着させて生体情報を
正確に測定できる。
また、第１舌部４６及び第２舌部４７が股部Ｔ１に引っ掛かかり、指装着体４１の回り
止めとして働くことで、指装着体４１は位置決めされる。これにより、腹面バンド部５４
又は側面バンド部５５に固定された脈波センサ３０を手指Ｔの所定の位置に密着させるこ
とができる。また、指装着体４１の回転が防止されるため、脈波センサ３０の手指Ｔへの
密着状態を維持できるので、脈波センサ３０を確実に手指Ｔに密着させて生体情報を正確
に測定できる。さらに、腹面バンド部５４は、第２舌部４７の側に設けられているため、
指装着体４１を所定の位置に装着すれば、脈波センサ３０は腹側の面Ｕに正対して密着す
る。また、側面バンド部５５は、腹面バンド部５４と略９０°異なる位置に設けられてい
るため、指装着体４１を所定の位置に装着すれば、脈波センサ３０は側面Ｓに正対して密
着する。従って、指装着体４１を所定の位置に装着すれば脈波センサ３０は腹側の面Ｕ又
は側面Ｓに密着するため、利用者は脈波センサ３０を容易に密着させることができ、脈波
センサ３０を確実に手指Ｔに密着させて生体情報を正確に測定できる。
【００３３】
また、脈波センサ３０は、人差し指の親指側の側面に相当する側面Ｓ、親指の少なくと
もいずれか一方の側面、及び、小指の外側の側面のいずれかの位置に密着する。これらの
位置は、いずれも指装着体４１の内側の側面に固定された脈波センサ３０に対し、隣接す
る他の手指が干渉しにくい位置である。これによれば、脈波センサ３０が隣接する他の手
指と干渉して脈波センサ３０が移動することを防止できるため、脈波センサ３０を確実に
手指に密着させて生体情報を正確に測定できる。
【００３４】
なお、第１の実施の形態は本発明を適用した一態様を示すものであって、本発明は第１
の実施の形態に限定されない。例えば、第１の実施の形態では、センサ装着用サポーター
４０は、側面バンド部５５及び腹面バンド部５４を左手の手指Ｔに対応した位置に備える
ものとして説明したが、本発明はこれに限定されるものではなく、側面バンド部５５とは
対称な位置に側面バンド部を配置し、装着用サポーター４０を右手に装着するように構成
しても良い。また、第１の実施の形態では、センサ装着用サポーター４０は、側面バンド
部５５及び腹面バンド部５４を備える構成について説明したが、本発明はこれに限定され
るものではなく、側面バンド部５５のみを備える構成としても良い。また、第１の実施の
形態では、指装着体４１を装着した状態で側面バンド部５５と腹面バンド部５４とは略９
０°異なる位置に設けられる構成について説明したが、本発明はこれに限定されるもので
はなく、脈波センサ３０が手指Ｔの側面Ｓから大きく逸脱しなければ、９０°と異なる角
度であっても良い。その他の細部構成についても任意に変更可能であることは勿論である
。
【００３５】
［第２の実施の形態］
続いて、第２の実施の形態について説明する。
第２の実施の形態で説明するセンサ装着用サポーター１４０は、対向した２つの側面バ
ンド部１５５が設けられた点が第１の実施の形態と異なる。ここで、センサ装着用サポー
ター１４０は、第１の実施の形態のセンサ装着用サポーター４０に代えて、手指Ｔに脈波
センサ３０が密着するように固定するものである。なお、第２の実施の形態において、上
記第１の実施の形態と同様に構成される部分については、同符号を付して説明を省略する
。
【００３６】
図９は、センサ装着用サポーター１４０の斜視図である。
センサ装着用サポーター１４０は、筒状に構成された指装着体１４１を備え、その内側
には、脈波センサ３０を固定する固定バンド１５０が設けられている。また、指装着体１
４１の手指Ｔの付け根側には、手の甲側の付け根を越えて張り出す第１舌部１４６と、手
の平側の付け根を越えて張り出す第２舌部１４７とが形成されている。
固定バンド１５０は、第２舌部１４７の側に設けられた腹面バンド部１５４、及び、指
装着体１４１を手指Ｔに装着した状態で腹面バンド部１５４と略９０°異なる位置に設け
られた２つの側面バンド部１５５を有している。また、側面バンド部１５５は、互いに対
向して設けられている。
センサ装着用サポーター１４０を手指Ｔの所定の位置に装着した場合、腹面バンド部１
５４は、腹側の面Ｕに位置し、一方の側面バンド部１５５は、手指Ｔの左側の側面Ｓに位
置し、他方の側面バンド部１５５は、右側の側面Ｓに位置する。従って、利用者は、腹側
の面Ｕ、左側の側面Ｓ及び右側の側面Ｓのいずれの位置にも脈波センサ３０を密着させる
ことができる。
【００３７】
図１０は、センサ装着用サポーター１４０の展開図である。
センサ装着用サポーター１４０は、伸縮性を有す布状のサポーター材料１４１ａを縫い
合わせて円筒形状の指装着体１４１を形成し、指装着体１４１に固定バンド１５０を備え
て構成される。図１０で見えている面は、手指Ｔと接触するセンサ装着用サポーター１４
０の内側面１４１ｂである。サポーター材料１４１ａは略台形形状に形成され、直線状の
上辺１４３、曲線に形成された下辺１４２、及び、上辺１４３と下辺１４２とを結ぶ左右
の端辺１４４を有している。また、下辺１４２から上辺１４３へ延びる左右それぞれの端
辺１４４は、上辺１４３に向けて先細るように延び、略台形形状の中心線Ｃを軸線として
左右対称に構成されている。そして、センサ装着用サポーター１４０は、端辺１４４どう
しを縫い合わせて筒状に形成される。また、この端辺１４４の縫合部（図示略）の内側に
は、目止めテープ（図示略）が貼られており、センサ装着用サポーター１４０の内側面１
４１ｂに縫い目が露出しない。さらに、筒状に形成された指装着体１４１は、手指Ｔの形
状に合わせた先細りのテーパーを有し、手指Ｔとの密着性が高い。
また、サポーター材料１４１ａは、図１０中に矢印Ａで示す方向に特に高伸縮な弾性を
有する材料であり、縫い合わされて筒状の指装着体１４１が形成された状態では、手指Ｔ
の太さの方向に大きく伸びることができる。このため、様々な太さの手指Ｔに対応して指
装着体１４１を装着できるので、５本の手指のうちのいずれの手指にもセンサ装着用サポ
ーター１４０を装着できる。また、収縮方向の弾性力により脈波センサ３０を手指Ｔに押
し付けるようにして確実に密着させることができる。
【００３８】
下辺１４２は、サインカーブ様の曲線を描くように形成されているため、サポーター材
料１４１ａの長さは、その幅方向の位置によって異なっている。すなわち、両端辺１４４
及び幅方向中央（図中符号Ｃで示す位置）において、サポーター材料１４１ａの長さは最
も長く、その中間位置においてサポーター材料１４１ａの長さは最も短い。従って、下辺
１４２には、湾曲した凹欠部１４５が２箇所に形成され、これら２カ所の凹欠部１４５の
間には、湾曲して舌状に突出する延長部が形成され、さらに両端辺１４４には、分割され
た延長部が形成されている。端辺１４４を縫い合わせると、分割された延長部は一体とな
り、舌状に突出する延長部が形成される。これら２箇所の延長部は、端辺１４４を縫い合
わせて筒状のセンサ装着用サポーター１４０を作成した場合に、それぞれ、センサ装着用
サポーター１４０の基端部から突出する第１舌部１４６、及び、第２舌部１４７となる。
これら第１舌部１４６と第２舌部１４７とは互いに対向する位置にあり、第１舌部１４６
と第２舌部１４７との間には、センサ装着用サポーター１４０の長さが最も短くなる凹欠
部１４５が形成される。凹欠部１４５は、筒状のセンサ装着用サポーター１４０を構成し
た状態で、第１舌部１４６と第２舌部１４７との間の２カ所に形成される。
【００３９】
サポーター材料１４１ａの内側面１４１ｂには、下辺１４２の上方において上辺１４３
と略平行に帯状の固定バンド１５０が取り付けられている。固定バンド１５０は、１本の
伸縮可能なゴム製のバンドである。
固定バンド１５０は、その両端の２箇所及び中央の２箇所が内側面１４１ｂに固定され
て固定部１５１を形成している。固定バンド１５０は、隣接する各固定部１５１の間の３
箇所の部分が自在に伸縮可能な部分となっており、これら３つの部分が、腹面バンド部１
５４及び２つの側面バンド部１５５を構成している。つまり、同一の固定バンド１５０を
複数の固定部１５１で留めることにより、腹面バンド部１５４と側面バンド部１５５とが
構成されている。
また、腹面バンド部１５４の中心は、第２舌部１４７の頂点と重なって延びる中心線Ｃ
上に位置し、さらに、各々の側面バンド部１５５の中心は、凹部１４５の各頂点から中心
線Ｃと平行に延ばした直線の延長線上に位置している。
【００４０】
以上説明したように、本発明を適用した第２の実施の形態によれば、指装着体１４１に
は、対向する２つの側面バンド部１５５が設けられているため、いずれの手指においても
その手指の側面の方向を問わず、利用者の所望の手指の側面に脈波センサ３０を自由に配
置して密着させることができる。また、左手と右手の区別をする必要がないため、一つの
センサ装着用サポーター１４０により両手の手指に対応でき、脈波センサ３０を確実に手
指に密着させて生体情報を正確に測定できる。
【００４１】
なお、上記第１及び第２の実施の形態では、センサ装着用サポーター４０、１４０は、
第１舌部４６、１４６及び第２舌部４７、１４７により位置決めされるものとして説明し
たが、本発明はこれに限定されるものではなく、例えば、第１舌部４６、１４６及び第２
舌部４７、１４７のうち少なくともいずれか１つのの舌部が形成されていれば良い。そし
て、いずれか一方の舌部のみが形成された構成の場合、センサ装着用サポーター４０、１
４０は、１つの舌部により位置決めされ、舌部が手の甲側の付け根、または、手の平側の
付け根に張り出して当接する。センサ装着用サポーター４０、１４０の回転を防止するた
めには舌部は２箇所にあることが望ましいが、１つの舌部であっても舌部が手指の付け根
に張り出して当接しているため、回転を防止する効果がある。特に第２の実施の形態では
、センサ装着用サポーター１４０はいずれの手指にも装着でき、例えば、中指に装着した
場合、隣接する手指の股部が舌部の両隣にあるため、１つの舌部であっても十分な回り止
めの効果を得られる。また、第１舌部４６、１４６及び第２舌部４７、１４７により２箇
所で位置決めされる場合は、センサ装着用サポーター４０、１４０がいずれの方向に回転
しようとしても第１舌部４６、１４６及び第２舌部４７、１４７の少なくともいずれか一
方が手指の股部に引っ掛かるため回転が防止される。この場合、例えば、隣接する手指の
股部が片方にしかない小指にセンサ装着用サポーター４０、１４０をしても回転を防止で
きる。
また、上記第１及び第２の実施の形態では、生体情報として脈拍数を表示するものとし
て説明したが、本発明はこれに限定されるものではなく、例えば、生体情報として体温、
血圧、脈波、動脈血中の酸素飽和度、体動等を表示しても良い。また、サポーター材料４
１ａ、１４１ａにおける縫い合わせ箇所は、固定バンド５０、１５０に重ならない位置で
あれば良く、その他の細部構成についても任意に変更可能であることは勿論である。
【図面の簡単な説明】
【００４２】
【図１】実施の形態に係る腕装着型生体情報測定装置を示す概要図である。
【図２】装置本体部を単体で示す平面図である。
【図３】脈波センサの断面図である。
【図４】腹側の面に脈波センサを装着する場合の斜視図である。
【図５】側面に脈波センサを装着する場合の斜視図である。
【図６】センサ装着用サポーターの展開図である。
【図７】脈波センサを腹側の面に密着させた場合の一部破断側面図である。
【図８】脈波センサを側面に密着させた場合の側面図である。
【図９】センサ装着用サポーターの斜視図である。
【図１０】センサ装着用サポーターの展開図である。
【符号の説明】
【００４３】
１…腕装着型生体情報測定装置、１０…装置本体部、１１…時計ケース、１２…リスト
バンド、２０…ケーブル、３０…脈波センサ（センサ）、３１…ＬＥＤ、３２…フォトト
ランジスタ、４０、１４０…センサ装着用サポーター、４１、１４１…指装着体、４６、
１４６…第１舌部、４７，１４７…第２舌部、５０、１５０…固定バンド、５４、１５４
…腹面バンド部、５５、１５５…側面バンド部、Ｓ…側面、Ｔ…手指、Ｕ…腹側の面。
【図１】
0005040678.tif 000002
【図２】
0005040678.tif 000003
【図３】
0005040678.tif 000004
【図４】
0005040678.tif 000005
【図５】
0005040678.tif 000006
【図６】
0005040678.tif 000007
【図７】
0005040678.tif 000008
【図８】
0005040678.tif 000009
【図９】
0005040678.tif 000010
【図１０】
0005040678.tif 000011